(57)【要約】【課題】電圧計において分圧抵抗を使用しつつ、被測定接地極の接地抵抗を高い精度で測定する。【解決手段】処理部８は、合成抵抗算出処理を実行して、接地極Ｅおよび第１補助接地極Ｐ間、接地極Ｅおよび第２補助接地極Ｃ間、並びに第１補助接地極Ｐおよび第２補助接地極Ｃ間の各合成抵抗値Ｒｅ＋Ｒｐ，Ｒｅ＋Ｒｃ，Ｒｐ＋Ｒｃを算出し、補助接地極接地抵抗算出処理を実行して、各合成抵抗値Ｒｅ＋Ｒｐ，Ｒｅ＋Ｒｃ，Ｒｐ＋Ｒｃに基づいて第１補助接地極Ｐの接地抵抗値Ｒｐを算出し、１次接地抵抗算出処理を実行して、接地極Ｅの仮接地抵抗値を算出し、２次接地抵抗算出処理を実行して、この仮接地抵抗値を、補助接地極接地抵抗算出処理で算出した第１補助接地極Ｐの接地抵抗値Ｒｐおよび分圧抵抗１１の抵抗値Ｒｈ，ＲＬで規定される補正係数βで補正することにより接地極Ｅの最終的な接地抵抗値Ｒｅを算出する。【選択図】図１
2014174137.tif 000002
【特許請求の範囲】
【請求項１】
交流電流を出力する電源と、
入力される電圧を分圧抵抗で分圧して測定する電圧計と、
前記電源および前記電圧計を並列に接続すると共に当該電源および当該電圧計の並列回路を、大地にそれぞれ接地された被測定接地極、第１補助接地極および第２補助接地極のうちから選択された任意の２極間に接続する第１接続動作、並びに当該電源を前記被測定接地極および前記第２補助接地極間に接続すると共に当該電圧計を前記被測定接地極および前記第１補助接地極間に接続する第２接続動作を実行可能に構成されたスイッチ部と、
合成抵抗算出処理、補助接地極接地抵抗算出処理、１次接地抵抗算出処理および２次接地抵抗算出処理を実行する処理部とを備え、
前記処理部は、前記合成抵抗算出処理において、前記スイッチ部に対して前記第１接続動作を実行させつつ、前記電源から前記交流電流を出力させている状態において前記電圧計で測定される前記被測定接地極および前記第１補助接地極間の交流電圧の電圧値、前記被測定接地極および前記第２補助接地極間の交流電圧の電圧値、並びに前記第１補助接地極および前記第２補助接地極間の交流電圧の電圧値を取得すると共に、当該取得した各２極間の交流電圧の電圧値と前記交流電流の電流値とに基づいて、当該被測定接地極の接地抵抗および当該第１補助接地極の接地抵抗の合成抵抗値、当該被測定接地極の接地抵抗および当該第２補助接地極の接地抵抗の合成抵抗値、並びに当該第１補助接地極の接地抵抗および当該第２補助接地極の接地抵抗の合成抵抗値を算出し、前記補助接地極接地抵抗算出処理において、前記合成抵抗算出処理で算出した各合成抵抗値に基づいて前記第１補助接地極の前記接地抵抗の接地抵抗値を算出し、前記１次接地抵抗算出処理において、前記スイッチ部に対して前記第２接続動作を実行させつつ、前記電源から前記交流電流を出力させている状態において前記電圧計で測定される前記被測定接地極および前記第１補助接地極間の交流電圧の電圧値を取得すると共に、当該取得した交流電圧の電圧値と前記交流電流の電流値とに基づいて当該被測定接地極の前記接地抵抗の抵抗値を仮接地抵抗値として算出し、前記２次接地抵抗算出処理において、前記１次接地抵抗算出処理で算出した前記仮接地抵抗値を、前記補助接地極接地抵抗算出処理で算出した前記第１補助接地極の前記接地抵抗値および前記分圧抵抗の抵抗値で規定される補正係数で補正することにより前記被測定接地極の接地抵抗値を算出する接地抵抗計。
【請求項２】
前記処理部は、前記１次接地抵抗算出処理の実行の前後において、前記合成抵抗算出処理および前記補助接地極接地抵抗算出処理を実行し、前記２次接地抵抗算出処理において、前記１次接地抵抗算出処理の実行の前後で実行した前記補助接地極接地抵抗算出処理でそれぞれ算出した前記第１補助接地極の前記接地抵抗値の平均値および前記分圧抵抗の抵抗値で規定される係数を前記補正係数として使用する請求項１記載の接地抵抗計。
【請求項３】
交流電流を出力する電源と、入力される電圧を分圧抵抗で分圧して測定する電圧計と、前記電源および前記電圧計を並列に接続すると共に当該電源および当該電圧計の並列回路を、大地にそれぞれ接地された被測定接地極、第１補助接地極および第２補助接地極のうちから選択された任意の２極間に接続する第１接続動作、並びに当該電源を前記被測定接地極および前記第２補助接地極間に接続すると共に当該電圧計を前記被測定接地極および前記第１補助接地極間に接続する第２接続動作を実行可能に構成されたスイッチ部とを使用して、合成抵抗算出処理、補助接地極接地抵抗算出処理、１次接地抵抗算出処理および２次接地抵抗算出処理を実行することによって前記被測定接地極の接地抵抗値を算出する接地抵抗測定方法であって、
前記合成抵抗算出処理において、前記スイッチ部に対して前記第１接続動作を実行させつつ、前記電源から前記交流電流を出力させている状態において前記電圧計で測定される前記被測定接地極および前記第１補助接地極間の交流電圧の電圧値、前記被測定接地極および前記第２補助接地極間の交流電圧の電圧値、並びに前記第１補助接地極および前記第２補助接地極間の交流電圧の電圧値を取得すると共に、当該取得した各２極間の交流電圧の電圧値と前記交流電流の電流値とに基づいて、当該被測定接地極の接地抵抗および当該第１補助接地極の接地抵抗の合成抵抗値、当該被測定接地極の接地抵抗および当該第２補助接地極の接地抵抗の合成抵抗値、並びに当該第１補助接地極の接地抵抗および当該第２補助接地極の接地抵抗の合成抵抗値を算出し、
前記補助接地極接地抵抗算出処理において、前記合成抵抗算出処理で算出した各合成抵抗値に基づいて前記第１補助接地極の前記接地抵抗の接地抵抗値を算出し、
前記１次接地抵抗算出処理において、前記スイッチ部に対して前記第２接続動作を実行させつつ、前記電源から前記交流電流を出力させている状態において前記電圧計で測定される前記被測定接地極および前記第１補助接地極間の交流電圧の電圧値を取得すると共に、当該取得した交流電圧の電圧値と前記交流電流の電流値とに基づいて当該被測定接地極の前記接地抵抗の抵抗値を仮接地抵抗値として算出し、
前記２次接地抵抗算出処理において、前記１次接地抵抗算出処理で算出した前記仮接地抵抗値を、前記補助接地極接地抵抗算出処理で算出した前記第１補助接地極の前記接地抵抗値および前記分圧抵抗の抵抗値で規定される補正係数で補正することにより前記被測定接地極の接地抵抗値を算出する接地抵抗測定方法。
【請求項４】
前記１次接地抵抗算出処理の実行の前後において、前記合成抵抗算出処理および前記補助接地極接地抵抗算出処理を実行し、前記２次接地抵抗算出処理において、前記１次接地抵抗算出処理の実行の前後で実行した前記補助接地極接地抵抗算出処理でそれぞれ算出した前記第１補助接地極の前記接地抵抗値の平均値および前記分圧抵抗の抵抗値で規定される係数を前記補正係数として使用する請求項３記載の接地抵抗測定方法。
【発明の詳細な説明】
【技術分野】
【０００１】
本発明は、接地抵抗計であって、交流電位差計方式の接地抵抗計に関するものである。また、この接地抵抗計において実行される接地抵抗測定方法に関するものである。
【背景技術】
【０００２】
この種の接地抵抗計として、下記の非特許文献１に開示された接地抵抗計が知られている。図３に示すように、この接地抵抗計５１は、電源（定電流源）２および電圧計３を内蔵し、定電流源２から大地Ｇに接地されている被測定接地極（接地極Ｅ）と補助接地極Ｃとの間に交流定電流Ｉ（電流値Ｉ１）を出力している状態において、接地極Ｅと補助接地極Ｐ（大地Ｇに接地されているもう一つの補助接地極）との間に発生する交流電圧Ｖｅｐを電圧計３で測定し、電圧計３で測定された交流電圧Ｖｅｐの電圧値と電流値Ｉ１とに基づいて、被測定接地極（接地極Ｅ）の接地抵抗Ｒｅの抵抗値を測定して出力部（表示部）９に出力（表示）可能に構成されている。
【０００３】
また、この接地抵抗計５１は、電圧計３で交流電圧Ｖｅｐを測定する際に、図３に示すように、接地極Ｅの設置場所の環境（状態）に応じて例えば０Ｖ〜３０Ｖの範囲で変化する地電圧Ｖｅを含んで測定することになる。また、この電圧計３は、同図に示すように、一般的にＡ／Ｄ変換器１４を備えて構成されている。このため、このように変化する地電圧Ｖｅを含む交流電圧ＶｅｐをＡ／Ｄ変換器１４の最大定格入力の電圧範囲内（例えば、＋１Ｖ〜−１Ｖ）まで降圧し得るように、この電圧計３には、通常、分圧抵抗１１が内蔵されている。この場合、分圧抵抗１１は、この例では一例として、直列接続された２つの抵抗ＲＨ，ＲＬで構成されて、一対の入力端子３ａ，３ｂ間に、抵抗ＲＨが力端子３ａ側に位置するように接続されている。
【０００４】
この電圧計３では、一対の入力端子３ａ，３ｂ間に入力された交流電圧Ｖｅｐは、分圧抵抗１１の各抵抗ＲＨ，ＲＬで分圧されて電圧Ｖｖ１に降圧され、この電圧Ｖｖ１はバッファ１２を介して信号抽出器１３に出力される。信号抽出器１３は、バンドパスフィルタや、同期検波回路などで構成されて、地電圧Ｖｅの周波数成分を除去して交流定電流Ｉの周波数成分を抽出し、電圧Ｖｖ２としてＡ／Ｄ変換器１４に出力する。Ａ／Ｄ変換器１４は、この電圧Ｖｖ２をサンプリングすることにより、波形データＤｖを処理部８に出力する。この場合、電圧Ｖｖ２は、接地抵抗Ｒｅ（抵抗値もＲｅで表すものとする）に交流定電流Ｉが流れることによって発生した電圧（Ｒｅ×Ｉ）が分圧抵抗１１で分圧されたものである。したがって、処理部８は、分圧抵抗１１の分圧比の逆数で波形データＤｖを補正し、この補正後の波形データに基づいて、この電圧（Ｒｅ×Ｉ）の電圧値（Ｒｅ×Ｉ１）を算出し、最後に、これを既知の電流値Ｉ１で除算することにより、接地抵抗Ｒｅの抵抗値Ｒｅを算出する。
【先行技術文献】
【非特許文献】
【０００５】
【非特許文献１】電池式デジタル接地抵抗計  ＭＯＤＥＬ  ４１０５Ａ  取扱説明書、共立電気計器株式会社ホームページ、［平成２５年２月２５日検索］、インターネット＜http://www.kew-ltd.co.jp/jp/download/pdf/manual/4105A_IM_92-1499D_J.pdf＞
【発明の概要】
【発明が解決しようとする課題】
【０００６】
ところが、上記の接地抵抗計５１には、以下のような改善すべき課題が存在している。すなわち、この接地抵抗計５１の電圧計３では、上記したように分圧抵抗１１が配設されているため、一対の入力端子３ａ，３ｂ間の入力インピーダンスは、この分圧抵抗１１を構成する各抵抗ＲＨ，ＲＬの合成抵抗値（直列合成抵抗値）になる。また、接地抵抗計５１では、この合成抵抗値が、外来ノイズの影響を受けにくい範囲内で、補助接地極Ｐ，Ｃの接地抵抗Ｒｐ，Ｒｃの抵抗値（例えば数百ｋΩ。抵抗値もＲｐ，Ｒｃで表すものとする）よりも十分に大きい抵抗値（例えば、１０ＭΩ程度）になるように規定されている。このため、定電流源２から出力されている交流定電流Ｉの一部はこの分圧抵抗１１にも流れるものの、その電流値は、各極Ｅ，Ｐ間、各極Ｅ，Ｃ間、および各極Ｐ，Ｃ間に流れる各交流電流のいずれの電流値よりも十分に小さくなり、無視できるレベルになっている。これにより、この接地抵抗計５１では、定電流源２から出力されている交流定電流Ｉの一部がこの分圧抵抗１１に流れることに起因して生じる誤差については、無視できるように構成されている。
【０００７】
しかしながら、接地抵抗計５１では、その分圧抵抗１１に関連する部分を簡易に表した図４に示すように、電圧計３の互いに直列に接続された分圧抵抗１１の各抵抗ＲＨ，ＲＬに対して、補助接地極Ｐの接地抵抗Ｒｐが直列に接続される構成になっている。このため、電圧計３の一対の入力端子３ａ，３ｂ間には、交流電圧Ｖｅｐが分圧抵抗１１の合成抵抗値と、接地抵抗Ｒｐの抵抗値Ｒｐとで分圧されて入力されるため、電圧計３は本来の交流電圧Ｖｅｐよりも低い電圧を交流電圧Ｖｅｐとして測定することになる。したがって、この交流電圧Ｖｅｐに基づいて接地抵抗Ｒｅの抵抗値Ｒｅを算出する接地抵抗計５１には、接地抵抗Ｒｅの測定精度が低下するという改善すべき課題が存在している。
【０００８】
本発明は、かかる課題を改善すべくなされたものであり、電圧計において分圧抵抗を使用しつつ、被測定接地極の接地抵抗を高い精度で測定し得る接地抵抗計および接地抵抗測定方法を提供することを主目的とする。
【課題を解決するための手段】
【０００９】
上記目的を達成すべく請求項１記載の接地抵抗計は、交流電流を出力する電源と、入力される電圧を分圧抵抗で分圧して測定する電圧計と、前記電源および前記電圧計を並列に接続すると共に当該電源および当該電圧計の並列回路を、大地にそれぞれ接地された被測定接地極、第１補助接地極および第２補助接地極のうちから選択された任意の２極間に接続する第１接続動作、並びに当該電源を前記被測定接地極および前記第２補助接地極間に接続すると共に当該電圧計を前記被測定接地極および前記第１補助接地極間に接続する第２接続動作を実行可能に構成されたスイッチ部と、合成抵抗算出処理、補助接地極接地抵抗算出処理、１次接地抵抗算出処理および２次接地抵抗算出処理を実行する処理部とを備え、前記処理部は、前記合成抵抗算出処理において、前記スイッチ部に対して前記第１接続動作を実行させつつ、前記電源から前記交流電流を出力させている状態において前記電圧計で測定される前記被測定接地極および前記第１補助接地極間の交流電圧の電圧値、前記被測定接地極および前記第２補助接地極間の交流電圧の電圧値、並びに前記第１補助接地極および前記第２補助接地極間の交流電圧の電圧値を取得すると共に、当該取得した各２極間の交流電圧の電圧値と前記交流電流の電流値とに基づいて、当該被測定接地極の接地抵抗および当該第１補助接地極の接地抵抗の合成抵抗値、当該被測定接地極の接地抵抗および当該第２補助接地極の接地抵抗の合成抵抗値、並びに当該第１補助接地極の接地抵抗および当該第２補助接地極の接地抵抗の合成抵抗値を算出し、前記補助接地極接地抵抗算出処理において、前記合成抵抗算出処理で算出した各合成抵抗値に基づいて前記第１補助接地極の前記接地抵抗の接地抵抗値を算出し、前記１次接地抵抗算出処理において、前記スイッチ部に対して前記第２接続動作を実行させつつ、前記電源から前記交流電流を出力させている状態において前記電圧計で測定される前記被測定接地極および前記第１補助接地極間の交流電圧の電圧値を取得すると共に、当該取得した交流電圧の電圧値と前記交流電流の電流値とに基づいて当該被測定接地極の前記接地抵抗の抵抗値を仮接地抵抗値として算出し、前記２次接地抵抗算出処理において、前記１次接地抵抗算出処理で算出した前記仮接地抵抗値を、前記補助接地極接地抵抗算出処理で算出した前記第１補助接地極の前記接地抵抗値および前記分圧抵抗の抵抗値で規定される補正係数で補正することにより前記被測定接地極の接地抵抗値を算出する。
【００１０】
また、請求項２記載の接地抵抗計は、請求項１記載の接地抵抗計において、前記処理部は、前記１次接地抵抗算出処理の実行の前後において、前記合成抵抗算出処理および前記補助接地極接地抵抗算出処理を実行し、前記２次接地抵抗算出処理において、前記１次接地抵抗算出処理の実行の前後で実行した前記補助接地極接地抵抗算出処理でそれぞれ算出した前記第１補助接地極の前記接地抵抗値の平均値および前記分圧抵抗の抵抗値で規定される係数を前記補正係数として使用する。
【００１１】
また、請求項３記載の接地抵抗測定方法は、交流電流を出力する電源と、入力される電圧を分圧抵抗で分圧して測定する電圧計と、前記電源および前記電圧計を並列に接続すると共に当該電源および当該電圧計の並列回路を、大地にそれぞれ接地された被測定接地極、第１補助接地極および第２補助接地極のうちから選択された任意の２極間に接続する第１接続動作、並びに当該電源を前記被測定接地極および前記第２補助接地極間に接続すると共に当該電圧計を前記被測定接地極および前記第１補助接地極間に接続する第２接続動作を実行可能に構成されたスイッチ部とを使用して、合成抵抗算出処理、補助接地極接地抵抗算出処理、１次接地抵抗算出処理および２次接地抵抗算出処理を実行することによって前記被測定接地極の接地抵抗値を算出する接地抵抗測定方法であって、前記合成抵抗算出処理において、前記スイッチ部に対して前記第１接続動作を実行させつつ、前記電源から前記交流電流を出力させている状態において前記電圧計で測定される前記被測定接地極および前記第１補助接地極間の交流電圧の電圧値、前記被測定接地極および前記第２補助接地極間の交流電圧の電圧値、並びに前記第１補助接地極および前記第２補助接地極間の交流電圧の電圧値を取得すると共に、当該取得した各２極間の交流電圧の電圧値と前記交流電流の電流値とに基づいて、当該被測定接地極の接地抵抗および当該第１補助接地極の接地抵抗の合成抵抗値、当該被測定接地極の接地抵抗および当該第２補助接地極の接地抵抗の合成抵抗値、並びに当該第１補助接地極の接地抵抗および当該第２補助接地極の接地抵抗の合成抵抗値を算出し、前記補助接地極接地抵抗算出処理において、前記合成抵抗算出処理で算出した各合成抵抗値に基づいて前記第１補助接地極の前記接地抵抗の接地抵抗値を算出し、前記１次接地抵抗算出処理において、前記スイッチ部に対して前記第２接続動作を実行させつつ、前記電源から前記交流電流を出力させている状態において前記電圧計で測定される前記被測定接地極および前記第１補助接地極間の交流電圧の電圧値を取得すると共に、当該取得した交流電圧の電圧値と前記交流電流の電流値とに基づいて当該被測定接地極の前記接地抵抗の抵抗値を仮接地抵抗値として算出し、前記２次接地抵抗算出処理において、前記１次接地抵抗算出処理で算出した前記仮接地抵抗値を、前記補助接地極接地抵抗算出処理で算出した前記第１補助接地極の前記接地抵抗値および前記分圧抵抗の抵抗値で規定される補正係数で補正することにより前記被測定接地極の接地抵抗値を算出する。
【００１２】
また、請求項４記載の接地抵抗測定方法は、請求項３記載の接地抵抗測定方法において、前記１次接地抵抗算出処理の実行の前後において、前記合成抵抗算出処理および前記補助接地極接地抵抗算出処理を実行し、前記２次接地抵抗算出処理において、前記１次接地抵抗算出処理の実行の前後で実行した前記補助接地極接地抵抗算出処理でそれぞれ算出した前記第１補助接地極の前記接地抵抗値の平均値および前記分圧抵抗の抵抗値で規定される係数を前記補正係数として使用する。
【発明の効果】
【００１３】
請求項１記載の接地抵抗計および請求項３記載の接地抵抗測定方法では、合成抵抗算出処理を実行して、被測定接地極および第１補助接地極間、被測定接地極および第２補助接地極間、並びに第１補助接地極および第２補助接地極間の各合成抵抗値を算出し、補助接地極接地抵抗算出処理を実行して、各合成抵抗値に基づいて第１補助接地極の接地抵抗値を算出し、１次接地抵抗算出処理を実行して、被測定接地極の仮接地抵抗値を算出し、２次接地抵抗算出処理を実行して、この仮接地抵抗値を、補助接地極接地抵抗算出処理で算出した第１補助接地極の接地抵抗値および分圧抵抗の抵抗値で規定される補正係数で補正することにより被測定接地極の最終的な接地抵抗値を算出する。
【００１４】
したがって、この接地抵抗計および接地抵抗測定方法によれば、電圧計において分圧抵抗を使用しつつ、第１補助接地極の接地抵抗の影響を排除して、被測定接地極の接地抵抗値を高い精度で測定することができる。
【００１５】
請求項２記載の接地抵抗計および請求項４記載の接地抵抗測定方法によれば、１次接地抵抗算出処理の実行の前後で実行した補助接地極接地抵抗算出処理でそれぞれ算出した第１補助接地極の接地抵抗値の平均値および分圧抵抗の抵抗値で規定される係数を補正係数として使用するため、測定のタイミングによって多少変化する第１補助接地極の接地抵抗値をより安定した値として算出することができるため、補正係数の精度を高めることができる結果、被測定接地極の接地抵抗値をより高い精度で測定することができる。
【図面の簡単な説明】
【００１６】
【図１】接地抵抗計１の構成を示す構成図である。
【図２】接地抵抗計１の動作と併せて接地抵抗測定方法を説明するためのフローチャートである。
【図３】接地抵抗計５１の構成を示す構成図である。
【図４】接地抵抗計１，５１の分圧抵抗１１に関連する部分を簡易に表した説明図である。
【発明を実施するための形態】
【００１７】
以下、接地抵抗計および接地抵抗測定方法の実施の形態について、添付図面を参照して説明する。
【００１８】
最初に、接地抵抗計１の構成について、図面を参照して説明する。
【００１９】
接地抵抗計１は、図１に示すように、電源２、電圧計３、スイッチ部４、接続端子５，６，７、処理部８および出力部９を備え、第１補助接地極Ｐおよび第２補助接地極Ｃを用いて、被測定接地極（本例では、接地極Ｅ）の接地抵抗Ｒｅを３電極法によって測定する。
【００２０】
電源２は、一例として、処理部８によって制御されて、一定の周波数であって一定の電流値（実効値）Ｉ１の交流定電流（一例として正弦波電流）を生成して、一対の出力端子２ａ，２ｂから測定電流Ｉとして出力する定電流源として構成されている（以下、「定電流源２」ともいう）。
【００２１】
なお、測定電流Ｉは、後述する地電圧Ｖｅの周波数が通常５０Ｈｚまたは６０Ｈｚであるため、この周波数を避けた周波数（一例として、８０Ｈｚ〜１ｋＨｚ程度）に規定されている。また、定電流源２の各出力端子２ａ，２ｂは、スイッチ部４に接続されている。
【００２２】
電圧計３は、一対の入力端子３ａ，３ｂに入力される交流電圧をサンプリングすることにより、交流電圧の波形データＤｖを生成して処理部８に出力する。また、電圧計３は、一例として、分圧抵抗１１、バッファ１２、信号抽出器１３およびＡ／Ｄ変換器１４を備えている。
【００２３】
分圧抵抗１１は、一例として直列接続された２つの抵抗ＲＨ，ＲＬで構成されて、一対の入力端子３ａ，３ｂ間に、抵抗ＲＨが力端子３ａ側に位置するように接続されている。なお、発明の理解を容易にするため、抵抗ＲＨ，ＲＬの各抵抗値についても、抵抗値ＲＨ，ＲＬと表記するものとする。この構成により、分圧抵抗１１は、入力端子３ａ，３ｂに入力されている交流電圧を一定の分圧比（本例では、ＲＬ／（ＲＨ＋ＲＬ））で分圧することによって電圧Ｖｖ１に降圧して、バッファ１２に出力する。なお、分圧抵抗１１については、図示はしないが、３つ以上の抵抗を直列接続して構成したり、直列接続と並列接続とを組み合わせて構成したりすることもできる。
【００２４】
バッファ１２は、高入力インピーダンスで、かつ低出力インピーダンスに構成されて、入力した電圧Ｖｖ１を信号抽出器１３に出力する。信号抽出器１３は、バンドパスフィルタ回路や同期検波回路などで構成されて、電圧Ｖｖ１に含まれている周波数成分のうちの測定電流Ｉの周波数成分を抽出して（つまり、地電圧Ｖｅの周波数成分を除去して）、電圧Ｖｖ２としてＡ／Ｄ変換器１４に出力する。Ａ／Ｄ変換器１５は、この電圧Ｖｖ２をサンプリングすることにより、上記した波形データＤｖを生成して、処理部８に出力する。
【００２５】
スイッチ部４は、定電流源２および電圧計３と、３つの接続端子５，６，７との間に配設されている。また、スイッチ部４は、処理部８によって制御される複数の切替スイッチ（本例では一例として３つの切替スイッチ２１，２２，２３）で構成されて、定電流源２および電圧計３を並列に接続すると共に定電流源２および電圧計３の並列回路を、接続端子５，６，７のうちから選択された任意の２つの接続端子間に接続する第１接続動作、並びに定電流源２を接続端子５および接続端子７間に接続すると共に電圧計３を接続端子５および接続端子６間に接続する第２接続動作を実行可能に構成されている。
【００２６】
この場合、接続端子５は接地極Ｅに接続され、接続端子６は第１補助接地極Ｐに接続され、接続端子７は第２補助接地極Ｃに接続される。したがって、スイッチ部４は、第１接続動作では、定電流源２および電圧計３の並列回路を、大地Ｇにそれぞれ接地された接地極Ｅ、第１補助接地極Ｐおよび第２補助接地極Ｃのうちから選択された任意の２極間に接続する。また、スイッチ部４は、第２接続動作では、定電流源２を接地極Ｅおよび第２補助接地極Ｃ間に接続すると共に電圧計３を接地極Ｅおよび第１補助接地極Ｐ間に接続する。
【００２７】
具体的には、本例では、スイッチ部４は、各切替スイッチ２１，２２，２３が単極双投型（１回路２接点型）の切替スイッチで構成されている。また、切替スイッチ２１は、そのコモン接点ｃｏｍが切替スイッチ２３の一方の接点に接続されると共に定電流源２の出力端子２ａに接続され、一方の接点が接続端子７に接続され、他方の接点が切替スイッチ２２の一方の接点および切替スイッチ２３の他方の接点に接続されると共に接続端子６に接続されている。
【００２８】
切替スイッチ２２は、そのコモン接点ｃｏｍが定電流源２の出力端子２ｂおよび電圧計３の入力端子３ｂに接続され、一方の接点が上記したように切替スイッチ２１の他方の接点および接続端子６に接続され、他方の接点が接続端子５に接続されている。切替スイッチ２３は、そのコモン接点ｃｏｍが電圧計３の入力端子３ａに接続され、一方の接点が上記したように切替スイッチ２１のコモン接点ｃｏｍに接続され、他方の接点が上記したように切替スイッチ２１の他方の接点および切替スイッチ２２の一方の接点に接続されると共に接続端子６に接続されている。
【００２９】
処理部８は、ＣＰＵおよび内部メモリ（いずれも図示せず）を備えて構成されて、図２に示す抵抗測定処理３０（合成抵抗算出処理、補助接地極接地抵抗算出処理、１次接地抵抗算出処理、２次接地抵抗算出処理および出力処理を含む処理）を実行する。この場合、内部メモリには、分圧抵抗１１を構成する各抵抗ＲＨ，ＲＬの抵抗値ＲＨ，ＲＬが予め記憶されている。
【００３０】
出力部９は、一例として、ＬＣＤ（Liquid Crystal Display）などの表示装置で構成されて、処理部８が実行した抵抗測定処理３０の結果を画面上に表示させる。なお、表示装置に代えて、外部機器との間でデータ通信を行う通信装置で出力部９を構成して、抵抗測定処理３０での結果を外部機器に出力するようにしてもよい。
【００３１】
次に、接地抵抗計１の動作と併せて、接地抵抗測定方法について、図１，２を参照して説明する。なお、図１に示すように、第１補助接地極Ｐおよび第２補助接地極Ｃは、大地Ｇに接地された接地極Ｅを基準として予め規定された位置（例えば、非特許文献１に開示されている精密測定時の位置）に接地されているものとする。また、抵抗Ｒｅは接地極Ｅの接地抵抗を示し、抵抗Ｒｐは第１補助接地極Ｐの接地抵抗を示し、抵抗Ｒｃは第２補助接地極Ｃの接地抵抗を示すものとする。
【００３２】
また、発明の理解を容易にするため、接地抵抗Ｒｅの抵抗値を抵抗値（接地抵抗値ともいう）Ｒｅで表し、接地抵抗Ｒｐの抵抗値を抵抗値（接地抵抗値ともいう）Ｒｐで表し、接地抵抗Ｒｃの抵抗値を抵抗値（接地抵抗値ともいう）Ｒｃで表すものとする。また、接続端子５が接地極Ｅに、接続端子６が第１補助接地極Ｐに、接続端子７が第２補助接地極Ｃに予めそれぞれ接続されているものとする。
【００３３】
接地抵抗計１では、処理部８が、図２に示す抵抗測定処理３０を実行する。この抵抗測定処理３０では、処理部８は、まず、合成抵抗算出処理を実行する（ステップ３１）。この合成抵抗算出処理では、処理部８は、接地極Ｅおよび第１補助接地極Ｐ間の合成抵抗（合成接地抵抗）Ｒｅｐ（＝Ｒｅ＋Ｒｐ）、接地極Ｅおよび第２補助接地極Ｃ間の合成抵抗（合成接地抵抗）Ｒｅｃ（＝Ｒｅ＋Ｒｃ）、並びに第１補助接地極Ｐおよび第２補助接地極Ｃ間の合成抵抗（合成接地抵抗）Ｒｐｃ（＝Ｒｐ＋Ｒｃ）の各抵抗値（合成抵抗値）を一例としてこの順に算出する。
【００３４】
なお、以下では、発明の理解を容易にするため、合成接地抵抗Ｒｅｐの抵抗値を抵抗値（合成接地抵抗値ともいう）Ｒｅｐで、合成接地抵抗Ｒｅｃの抵抗値を抵抗値（合成接地抵抗値ともいう）Ｒｅｃで、合成接地抵抗Ｒｐｃの抵抗値を抵抗値（合成接地抵抗値ともいう）Ｒｐｃで表すものとする。
【００３５】
具体的には、処理部８は、合成接地抵抗Ｒｅｐの合成接地抵抗値Ｒｅｐの算出に際して、まず、スイッチ部４に対する制御を実行して、切替スイッチ２３を破線で示される接続状態（コモン接点ｃｏｍが一方の接点に接続される状態）に移行させ、切替スイッチ２１を実線で示される接続状態に移行させ、かつ切替スイッチ２２を実線で示される接続状態に移行させる。これにより、接地抵抗計１は、定電流源２および電圧計３が並列に接続されると共に、この並列回路がスイッチ部４を介して接続端子５および接続端子６間、つまり接地極Ｅおよび第１補助接地極Ｐ間に接続される接続状態に移行する。
【００３６】
次いで、処理部８は、定電流源２に対する制御を実行して、測定電流Ｉを出力させる。この測定電流Ｉは、定電流源２の出力端子２ａから、スイッチ部４の切替スイッチ２１、接続端子６、第１補助接地極Ｐ、大地Ｇ、接地極Ｅ、接続端子５およびスイッチ部４の切替スイッチ２２を経由して定電流源２の出力端子２ｂに戻る電流経路に流れる。
【００３７】
電圧計３は、交流電圧Ｖｅｐの電圧値を測定して、その波形データＤｖを処理部８に出力する。この場合、接地極Ｅおよび第１補助接地極Ｐ間には、これら２つの極Ｅ，Ｐの各接地抵抗Ｒｅ，Ｒｐに電流値Ｉ１に規定された測定電流Ｉが流れることによって発生する電圧（（Ｒｅ＋Ｒｐ）×Ｉ）と地電圧Ｖｅとの加算電圧（（Ｒｅ＋Ｒｐ）×Ｉ＋Ｖｅ）が発生している。
【００３８】
電圧計３では、分圧抵抗１１がこの加算電圧を分圧して電圧Ｖｖ１として出力し、信号抽出器１３がバッファ１２を介して入力される電圧Ｖｖ１に含まれている測定電流Ｉの周波数成分を抽出して電圧Ｖｖ２として出力する。これにより、電圧Ｖｖ２は、電圧（（Ｒｅ＋Ｒｐ）×Ｉ）に比例した電圧として出力される。Ａ／Ｄ変換器１４は、この電圧Ｖｖ２をサンプリングすることにより、この電圧Ｖｖ２の波形データＤｖ（つまり、電圧（（Ｒｅ＋Ｒｐ）×Ｉ）に比例した電圧の波形データＤｖ）を生成して、処理部８に出力する。
【００３９】
次いで、処理部８は、少なくともこの電圧Ｖｖ２の１周期分の波形データＤｖを電圧計３から取得し、この波形データＤｖに分圧抵抗１１の分圧比（ＲＬ／（ＲＨ＋ＲＬ））の逆数を乗算する補正を行うことによって分圧抵抗１１での分圧の影響を排除して、電圧計３の一対の入力端子３ａ，３ｂ間に入力されている交流電圧Ｖｅｐの波形データを算出する。また、処理部８は、この波形データに基づいて、接地極Ｅおよび第１補助接地極Ｐ間に発生する交流電圧Ｖｅｐ（地電圧Ｖｅを含まない状態での電圧）の電圧値（実効値）を算出する。
【００４０】
続いて、処理部８は、この算出した交流電圧Ｖｅｐの電圧値を測定電流Ｉの電流値Ｉ１で除算することにより、接地極Ｅおよび第１補助接地極Ｐ間の合成接地抵抗値Ｒｅｐ（＝Ｒｅ＋Ｒｐ）を算出して、内部メモリに記憶する。最後に、処理部８は、定電流源２に対して測定電流Ｉの出力を停止させる。これにより、合成接地抵抗Ｒｅｐの合成接地抵抗値Ｒｅｐの算出が完了する。
【００４１】
また、処理部８は、合成接地抵抗Ｒｅｃの合成接地抵抗値Ｒｅｃの算出に際して、まず、スイッチ部４に対する制御を実行して、切替スイッチ２２，２３については上記の接続状態のままとし、切替スイッチ２１を破線で示される接続状態（コモン接点ｃｏｍが一方の接点に接続される状態）に移行させる。これにより、接地抵抗計１は、定電流源２および電圧計３の並列回路が、スイッチ部４を介して接続端子５および接続端子７間、つまり接地極Ｅおよび第２補助接地極Ｃ間に接続される接続状態に移行する。
【００４２】
次いで、処理部８は、合成接地抵抗Ｒｅｐの算出のときと同様にして、定電流源２に対する制御を実行して、測定電流Ｉを出力させると共に、このときに電圧計３から出力される地電圧Ｖｅの成分を含まない波形データＤｖに基づいて、接地極Ｅおよび第２補助接地極Ｃ間に発生する交流電圧Ｖｅｃ（地電圧Ｖｅを含まない状態での電圧）の電圧値（実効値）を算出する。
【００４３】
続いて、処理部８は、この算出した交流電圧Ｖｅｃの電圧値を測定電流Ｉの電流値Ｉ１で除算することにより、接地極Ｅおよび第２補助接地極Ｃ間の合成接地抵抗値Ｒｅｃ（＝Ｒｅ＋Ｒｃ）を算出して、内部メモリに記憶する。最後に、処理部８は、定電流源２に対して測定電流Ｉの出力を停止させる。これにより、合成接地抵抗Ｒｅｃの合成接地抵抗値Ｒｅｃの算出が完了する。
【００４４】
また、処理部８は、合成接地抵抗Ｒｐｃの合成接地抵抗値Ｒｐｃの算出に際して、まず、スイッチ部４に対する制御を実行して、切替スイッチ２１，２３については上記の接続状態のままとし、切替スイッチ２２を破線で示される接続状態（コモン接点ｃｏｍが一方の接点に接続される状態）に移行させる。これにより、接地抵抗計１は、上記の定電流源２および電圧計３の並列回路が、スイッチ部４を介して接続端子６および接続端子７間、つまり第１補助接地極Ｐおよび第２補助接地極Ｃ間に接続される接続状態に移行する。
【００４５】
次いで、処理部８は、合成接地抵抗Ｒｅｐの算出のときと同様にして、定電流源２に対する制御を実行して、測定電流Ｉを出力させると共に、このときに電圧計３から出力される地電圧Ｖｅの成分を含まない波形データＤｖに基づいて、第１補助接地極Ｐおよび第２補助接地極Ｃ間に発生する交流電圧Ｖｐｃの電圧値（実効値）を算出する。
【００４６】
続いて、処理部８は、この算出した交流電圧Ｖｐｃの電圧値を測定電流Ｉの電流値Ｉ１で除算することにより、第１補助接地極Ｐおよび第２補助接地極Ｃ間の合成接地抵抗値Ｒｐｃ（＝Ｒｐ＋Ｒｃ）を算出して、内部メモリに記憶する。最後に、処理部８は、定電流源２に対して測定電流Ｉの出力を停止させる。これにより、合成接地抵抗Ｒｐｃの合成接地抵抗値Ｒｐｃの算出が完了し、合成抵抗算出処理が完了する。
【００４７】
次いで、処理部８は、補助接地極接地抵抗算出処理を実行する（ステップ３２）。この補助接地極接地抵抗算出処理では、処理部８は、算出した各合成接地抵抗値Ｒｅｐ，Ｒｅｃ，Ｒｐｃに基づいて、下記の３元連立１次方程式（式（１）〜（３））を解くことで、接地極Ｅの接地抵抗値Ｒｅ、第１補助接地極Ｐの接地抵抗値Ｒｐおよび第２補助接地極Ｃの接地抵抗値Ｒｃを算出して、内部メモリに記憶する。これにより、補助接地極接地抵抗算出処理が完了する。なお、この補助接地極接地抵抗算出処理では、少なくとも第１補助接地極Ｐの接地抵抗値Ｒｐを算出すればよいため、接地抵抗値Ｒｐのみを内部メモリに記憶するようにしてもよい。
Ｒｅｐ＝Ｒｅ＋Ｒｐ  ・・・  （１）
Ｒｅｃ＝Ｒｅ＋Ｒｃ  ・・・  （２）
Ｒｐｃ＝Ｒｐ＋Ｒｃ  ・・・  （３）
【００４８】
また、この補助接地極接地抵抗算出処理では、上記のように接地極Ｅの接地抵抗値Ｒｅについても算出されるが、接地極Ｅの接地抵抗値Ｒｅは、第１補助接地極Ｐの接地抵抗値Ｒｐや第２補助接地極Ｃの接地抵抗値Ｒｃと比較して、通常、極めて小さい値である。具体的には、接地極Ｅは接地工事の基準に適合するように適切な施工方法を採用して接地されるため、その接地抵抗値Ｒｅは大きくても５００Ω以下、実際には１０Ω以下の低い値になっている。一方、各補助接地極Ｐ，Ｃは、例えば、接地抵抗計１の使用者が接地抵抗計１に付属の金属製の接地棒を大地Ｇに差し込んで構成される簡易な接地極であるため、それらの接地抵抗Ｒｐ，Ｒｃは通常、上記のように数百ｋΩという大きい値になっている。したがって、補助接地極接地抵抗算出処理では、各接地抵抗Ｒｐ，Ｒｃについては十分な精度で算出できるが、接地抵抗値Ｒｅについては各接地抵抗Ｒｐ，Ｒｃの精度よりも低い精度で算出される。したがって、補助接地極接地抵抗算出処理で算出される接地抵抗値Ｒｅを、接地極Ｅの本来の接地抵抗値Ｒｅとすることは困難となる。
【００４９】
次いで、処理部８は、１次接地抵抗算出処理を実行する（ステップ３３）。この１次接地抵抗算出処理では、処理部８は、まず、スイッチ部４に対する制御を実行して、切替スイッチ２１を破線で示される接続状態に移行させ、かつ切替スイッチ２２，２３を実線で示される接続状態に移行させる。これにより、接地抵抗計１は、定電流源２がスイッチ部４を介して接続端子５および接続端子７間、つまり接地極Ｅおよび第２補助接地極Ｃ間に接続され、かつ電圧計３がスイッチ部４を介して接続端子５および接続端子６間、つまり接地極Ｅおよび第１補助接地極Ｐ間に接続される接続状態に移行する。
【００５０】
次いで、処理部８は、定電流源２に対する制御を実行して、測定電流Ｉを出力させる。この測定電流Ｉは、定電流源２の出力端子２ａから、スイッチ部４の切替スイッチ２１、接続端子７、第２補助接地極Ｃ、大地Ｇ、接地極Ｅ、接続端子５およびスイッチ部４の切替スイッチ２２を経由して定電流源２の出力端子２ｂに戻る電流経路に流れる。
【００５１】
この場合、図４に示すように、接地極Ｅの接地抵抗Ｒｅに測定電流Ｉが流れることによって発生する電圧（Ｒｅ×Ｉ）と地電圧Ｖｅとの加算電圧（Ｒｅ×Ｉ＋Ｖｅ）は、第１補助接地極Ｐの接地抵抗Ｒｐの存在により、この接地抵抗Ｒｐの抵抗値Ｒｐと、電圧計３に内蔵されている分圧抵抗１１の抵抗値（ＲＬ＋ＲＨ）とで分圧されて、電圧計３の一対の入力端子３ａ，３ｂ間に交流電圧Ｖｅｐとして入力される。すなわち、交流電圧Ｖｅｐは、以下の式（４）で表される。
Ｖｅｐ＝（Ｒｅ×Ｉ＋Ｖｅ）×α  ・・・  （４）
ここで、α＝（ＲＬ＋ＲＨ）／（ＲＬ＋ＲＨ＋Ｒｐ）
【００５２】
したがって、電圧計３では、分圧抵抗１１が、この交流電圧Ｖｅｐを分圧して電圧Ｖｖ１として出力する。この場合、電圧Ｖｖ１は、以下の式（５）で表される。
Ｖｖ１＝（Ｒｅ×Ｉ＋Ｖｅ）×α×ＲＬ／（ＲＬ＋ＲＨ）  ・・・  （５）
【００５３】
次いで、信号抽出器１３が、バッファ１２を介して入力される電圧Ｖｖ１に含まれている測定電流Ｉの周波数成分を抽出して電圧Ｖｖ２として出力する。この場合、電圧Ｖｖ２は、以下の式（６）で表されるように、電圧（Ｒｅ×Ｉ）に比例した電圧として出力される。
Ｖｖ２＝Ｒｅ×Ｉ×α×ＲＬ／（ＲＬ＋ＲＨ）  ・・・  （６）
【００５４】
続いて、Ａ／Ｄ変換器１４が、この電圧Ｖｖ２をサンプリングすることにより、この電圧Ｖｖ２の波形データＤｖ（つまり、電圧（Ｒｅ×Ｉ）に比例した電圧の波形データＤｖ）を生成して、処理部８に出力する。
【００５５】
次いで、処理部８は、少なくともこの電圧Ｖｖ２の１周期分の波形データＤｖを電圧計３から取得すると共に、この波形データＤｖに分圧抵抗１１の分圧比（ＲＬ／（ＲＨ＋ＲＬ））についての逆数を乗算する補正を行うことによって、分圧抵抗１１の分圧の影響を排除した交流電圧Ｖｅｐの波形データを算出する。このようにして算出された波形データは、下記式（７）で表される電圧の波形データである。
Ｒｅ×Ｉ×α  ・・・  （７）
【００５６】
処理部８は、この波形データに基づいて、接地極Ｅおよび第１補助接地極Ｐ間に発生する交流電圧Ｖｅｐ（地電圧Ｖｅを含まない状態での電圧）の電圧値（実効値：Ｒｅ×Ｉ１×α）を算出し、この算出した交流電圧Ｖｅｃの電圧値を測定電流Ｉの電流値Ｉ１で除算することにより、接地極Ｅの仮接地抵抗値Ｒｅ１（＝Ｒｅ×α）を算出して、内部メモリに記憶する。最後に、処理部８は、定電流源２に対して測定電流Ｉの出力を停止させる。これにより、１次接地抵抗算出処理が完了する。
【００５７】
続いて、処理部８は、２次接地抵抗算出処理を実行する（ステップ３４）。この２次接地抵抗算出処理では、処理部８は、１次接地抵抗算出処理で算出した仮接地抵抗値Ｒｅ１（＝Ｒｅ×α）を、補助接地極接地抵抗算出処理で算出した第１補助接地極Ｐの接地抵抗値Ｒｐおよび電圧計３に内蔵されている分圧抵抗１１の抵抗値（ＲＬ＋ＲＨ）で規定される補正係数βで補正することにより、接地極Ｅの正しい接地抵抗値Ｒｅを算出する。
【００５８】
この接地抵抗計１のように電圧計３に分圧抵抗１１が内蔵されている構成では、上記したように、接地極Ｅの接地抵抗Ｒｅに測定電流Ｉが流れることによって発生する電圧（Ｒｅ×Ｉ）と地電圧Ｖｅとの加算電圧（Ｒｅ×Ｉ＋Ｖｅ）は、接地抵抗Ｒｐの抵抗値Ｒｐと分圧抵抗１１の抵抗値（ＲＬ＋ＲＨ）とで分圧されて、電圧計３の一対の入力端子３ａ，３ｂ間に入力される。これにより、上記の１次接地抵抗算出処理で算出される接地極Ｅの仮接地抵抗値Ｒｅ１は、上記したように、本来の接地抵抗値Ｒｅに係数αを乗算した値として、つまり、本来の接地抵抗値Ｒｅよりも小さい抵抗値として算出される。
【００５９】
このため、処理部８は、この２次接地抵抗算出処理において、係数αの逆数（１／α＝（ＲＬ＋ＲＨ＋Ｒｐ）／（ＲＬ＋ＲＨ））を上記の補正係数βとして使用して、下記式（８）に示すように、この補正係数βを１次接地抵抗算出処理で算出した仮接地抵抗値Ｒｅ１に乗算する補正を行う。これにより、処理部８は、接地極Ｅの最終的な接地抵抗値Ｒｅを算出し、内部メモリに記憶する。以上により、２次接地抵抗算出処理が完了する。
Ｒｅ１×β＝Ｒｅ×α×１／α＝Ｒｅ  ・・・  （８）
【００６０】
最後に、処理部８は、出力処理を実行して、２次接地抵抗算出処理で算出した接地抵抗Ｒｅの接地抵抗値Ｒｅを、出力部９の画面上に表示させる（ステップ３５）。これにより、抵抗測定処理３０が完了する。
【００６１】
このように、この接地抵抗計１および接地抵抗測定方法では、合成抵抗算出処理（ステップ３１）を実行して、接地極Ｅの接地抵抗Ｒｅおよび第１補助接地極Ｐの接地抵抗Ｒｐの合成抵抗値Ｒｅｐ（＝Ｒｅ＋Ｒｐ）、接地極Ｅの接地抵抗Ｒｅおよび第２補助接地極Ｃの接地抵抗Ｒｃの合成抵抗値Ｒｅｃ（＝Ｒｅ＋Ｒｃ）、並びに第１補助接地極Ｐの接地抵抗Ｒｐおよび第２補助接地極Ｃの接地抵抗Ｒｃの合成抵抗値Ｒｐｃ（＝Ｒｐ＋Ｒｃ）を算出し、補助接地極接地抵抗算出処理（ステップ３２）を実行して、各合成抵抗値Ｒｅｐ，Ｒｅｃ，Ｒｐｃに基づいて第１補助接地極Ｐの接地抵抗Ｒｐの接地抵抗値Ｒｐを算出し、１次接地抵抗算出処理（ステップ３３）を実行して、定電流源２から測定電流Ｉを出力させている状態において電圧計３で測定される接地極Ｅおよび第１補助接地極Ｐ間の交流電圧Ｖｅｐの波形データＤｖを取得すると共に、この波形データＤｖに基づいて算出した交流電圧Ｖｅｐの電圧値と測定電流Ｉの電流値Ｉ１とに基づいて接地極Ｅの仮接地抵抗値Ｒｅ１を算出し、２次接地抵抗算出処理（ステップ３４）を実行して、この仮接地抵抗値Ｒｅを、補助接地極接地抵抗算出処理で算出した第１補助接地極Ｐの接地抵抗値Ｒｐおよび分圧抵抗１１の各抵抗ＲＨ，ＲＬの各抵抗値ＲＨ，ＲＬで規定される補正係数βで補正することにより接地極Ｅの最終的な接地抵抗値Ｒｅを算出する。
【００６２】
したがって、この接地抵抗計１および接地抵抗測定方法によれば、電圧計３において分圧抵抗１１を使用しつつ、第１補助接地極Ｐの接地抵抗Ｒｐの影響を排除して、接地極Ｅの接地抵抗値Ｒｅを高い精度で測定することができる。
【００６３】
なお、上記の接地抵抗計１および接地抵抗測定方法では、１次接地抵抗算出処理（定電流源２を接地極Ｅおよび第２補助接地極Ｃ間に接続し、かつ電圧計３を接地極Ｅおよび第１補助接地極Ｐ間に接続して接地極Ｅの接地抵抗Ｒｅを測定する処理：ステップ３３）の実行前に、ステップ３１，２２を実行することで第１補助接地極Ｐの接地抵抗Ｒｐの抵抗値Ｒｐについての算出を１回だけ実行する構成を採用しているが、１次接地抵抗算出処理の実行後であって、２次接地抵抗算出処理の実行前に、ステップ３１，２２を再度実行して第１補助接地極Ｐの接地抵抗Ｒｐの抵抗値Ｒｐを２回算出し、この２つの抵抗値Ｒｐについての平均値を算出し、この平均値を補正係数βを構成する抵抗値Ｒｐとする構成を採用することもできる。
【００６４】
この構成によれば、測定のタイミングによって多少変化する第１補助接地極Ｐの接地抵抗Ｒｐの抵抗値Ｒｐをより安定した値として算出することができるため、補正係数βの精度を高めることができる結果、接地極Ｅの接地抵抗値Ｒｅをより高い精度で測定することができる。
【００６５】
また、上記の接地抵抗計１では、電圧計３の一対の入力端子３ａ，３ｂ間に入力される交流電圧Ｖｅｐ，Ｖｅｃ，Ｖｐｃから測定電流Ｉについての周波数成分を抽出する手段として、電圧計３に信号抽出器１３を設ける構成を採用しているが、信号抽出器１３を省いて（併せてバッファ１２を省くこともできる）、Ａ／Ｄ変換器１４が電圧Ｖｖ１を直接入力して波形データＤｖに変換し、処理部８が、この波形データＤｖからデジタル処理によって測定電流Ｉについての周波数成分を抽出する構成を採用することもできる。
【００６６】
また、上記の接地抵抗計１では、電源２として定電流源を使用する構成を採用しているが、電源２として、出力している測定電流Ｉの電流値を処理部８に出力する機能を備えた電圧源（または、電圧源と、この電圧源から出力されている測定電流Ｉの電流値を測定して処理部８に出力する電流計と）で構成することもできる。
【符号の説明】
【００６７】
１  接地抵抗計
２  定電流源
３  電圧計
４  スイッチ部
８  処理部
Ｃ  第２補助接地極
Ｅ  接地極
Ｉ  測定電流
Ｐ  第１補助接地極
Ｒｃ，Ｒｅ，Ｒｐ  接地抵抗
Ｖｅｃ，Ｖｅｐ，Ｖｐｃ  交流電圧
【図１】
2014174137.tif 000003
【図２】
2014174137.tif 000004
【図３】
2014174137.tif 000005
【図４】
2014174137.tif 000006